【手続補正書】
【提出日】平成21年6月5日(2009.6.5)
【手続補正１】
【補正対象書類名】特許請求の範囲
【補正対象項目名】全文
【補正方法】変更
【補正の内容】
【特許請求の範囲】
【請求項１】
工事現場の３次元モデルのデータである工事現場３次元モデルデータをスケジュールの各項目に結合させて記憶するとともに、建設機械の３次元モデルデータである建設機械３次元モデルデータを記憶部に記憶する記憶ステップと、
ユーザからの入力を受け付ける入力受付ステップと、
入力受付ステップによって日付を指定する入力を受け付けた場合に、指定された日付の項目に結合している前記工事現場３次元モデルデータを前記記憶部から読み出し、表示部に表示する表示ステップと、
入力受付ステップによって、工事現場に必要とされる建設機械の作業半径を入力し、その入力された作業半径に適する建設機械を選定した後、前記工事現場３次元モデルデータおよび当該建設機械の建設機械３次元モデルデータに基づいて前記入力した建設機械の作業半径を確認し、問題がなくなるまで選定を繰り返した後、建設機械としての利用性に問題ないことを確認するシミュレーションを行うシミュレーションステップと
を備えることを特徴とする建設工事管理方法。
【請求項２】
工事現場の３次元モデルのデータである工事現場３次元モデルデータをスケジュールの各項目に結合させて記憶するとともに、搬入または据え付け対象機器の３次元モデルである搬入据付対象機器３次元モデルデータを記憶部に記憶する記憶ステップと、
ユーザからの入力を受け付ける入力受付ステップと、
入力受付ステップによって日付を指定する入力を受け付けた場合に、指定された日付の項目に結合している前記工事現場３次元モデルデータを前記記憶部から読み出し、表示部に表示する表示ステップと、
入力受付ステップによって、前記搬入または据え付け対象機器を選択するとともに、その対象機器の重量、重心の位置およびＬｉｆｔｉｎｇ  Ｌｕｇ（リフト用突起）の位置を設定する入力し、前記工事現場３次元モデルデータに基づいて建設機械の過負荷を確認し、問題がなくなるまで選定を繰り返した後、建設機械としての利用性に問題ないことを確認するシミュレーションを行うシミュレーションステップと
を備えることを特徴とする建設工事管理方法。
【請求項３】
工事現場の３次元モデルのデータである工事現場３次元モデルデータをスケジュールの各項目に結合させて記憶するとともに、搬入または据え付け対象機器の３次元モデルである搬入据付対象機器３次元モデルデータ、および、建設機械の３次元モデルデータである建設機械３次元モデルデータを記憶部に記憶する記憶ステップと、
ユーザからの入力を受け付ける入力受付ステップと、
入力受付ステップによって日付を指定する入力を受け付けた場合に、指定された日付の項目に結合している前記工事現場３次元モデルデータを前記記憶部から読み出し、表示部に表示する表示ステップと、
入力受付ステップによって、工事現場で必要とされる建設機械の作業半径を入力し、その入力された作業半径に適する建設機械を選定した後、さらに、前記搬入または据え付け対象機器を選択するとともに、その対象機器の重量、重心の位置およびＬｉｆｔｉｎｇ  Ｌｕｇ（リフト用突起）の位置を設定する入力し、選定された建設機械の建設機械３次元モデルデータを前記記憶部から読み出して表示部に表示された前記工事現場の３次元モデル内に表示することによって前記建設機械の作業半径と過負荷に問題ないことを確認し、問題がなくなるまで選定を繰り返した後、建設機械としての利用性に問題ないことを確認するシミュレーションを行うシミュレーションステップと
を備えることを特徴とする建設工事管理方法。
【請求項４】
前記シミュレーションステップによるシミュレーションの過程をアニメーション録画ファイルに記録する録画ステップを更に備え、
前記録画ステップは、
前記シミュレーションステップによるシミュレーションの結果、問題がなかった場合に、シミュレーションの過程を日付に対応付けてアニメーション録画ファイルに記録することを特徴とする請求項１から請求項３の何れか１項に記載の建設工事管理方法。
【請求項５】
前記表示ステップは、
入力受付ステップによって開始日と終了日とを指定する入力を受け付けた場合に、指定された期間に含まれるアニメーション録画ファイルをスケジュール上に時系列に並べて表示することを特徴とする請求項４に記載の建設工事管理方法。
【請求項６】
工事現場の３次元モデルのデータである工事現場３次元モデルデータをスケジュールの各項目に結合させて記憶するとともに、建設機械の３次元モデルデータである建設機械３次元モデルデータを記憶する記憶部と、
ユーザからの入力を受け付ける入力受付手段と、
入力受付手段によって日付を指定する入力を受け付けた場合に、指定された日付の項目に結合している前記工事現場３次元モデルデータを前記記憶部から読み出し、表示部に表示する表示手段と、
入力受付手段によって、工事現場に必要とされる建設機械の作業半径を入力し、その入力された作業半径に適する建設機械を選定した後、前記工事現場３次元モデルデータおよび当該建設機械の建設機械３次元モデルデータに基づいて前記入力した建設機械の作業半径を確認し、問題がなくなるまで選定を繰り返した後、建設機械としての利用性に問題ないことを確認するシミュレーションを行うシミュレーション手段と
を備えることを特徴とする建設工事管理装置。
【手続補正２】
【補正対象書類名】明細書
【補正対象項目名】発明の名称
【補正方法】変更
【補正の内容】
【発明の名称】建設工事管理方法および建設工事管理装置
【手続補正３】
【補正対象書類名】明細書
【補正対象項目名】０００１
【補正方法】変更
【補正の内容】
【０００１】
この発明は、建設工事のスケジュール管理、進捗状況管理または機器搬入、据え付けのシミュレーションを行う際に用いられる建設工事管理方法および建設工事管理装置に関する。
【手続補正４】
【補正対象書類名】明細書
【補正対象項目名】０００５
【補正方法】変更
【補正の内容】
【０００５】
上記問題を解決するために、本発明の一態様である建設工事管理方法は、工事現場の３次元モデルのデータである工事現場３次元モデルデータをスケジュールの各項目に結合させて記憶するとともに、建設機械の３次元モデルデータである建設機械３次元モデルデータを記憶部に記憶する記憶ステップと、ユーザからの入力を受け付ける入力受付ステップと、入力受付ステップによって日付を指定する入力を受け付けた場合に、指定された日付の項目に結合している工事現場３次元モデルデータを記憶部から読み出し、表示部に表示する表示ステップと、入力受付ステップによって、工事現場に必要とされる建設機械の作業半径を入力し、その入力された作業半径に適する建設機械を選定した後、工事現場３次元モデルデータおよび当該建設機械の建設機械３次元モデルデータに基づいて入力した建設機械の作業半径を確認し、問題がなくなるまで選定を繰り返した後、建設機械としての利用性に問題ないことを確認するシミュレーションを行うシミュレーションステップとを備えることを特徴とする。
【手続補正５】
【補正対象書類名】明細書
【補正対象項目名】０００６
【補正方法】変更
【補正の内容】
【０００６】
上記問題を解決するために、本発明の他の態様である建設工事管理方法は、工事現場の３次元モデルのデータである工事現場３次元モデルデータをスケジュールの各項目に結合させて記憶するとともに、搬入または据え付け対象機器の３次元モデルである搬入据付対象機器３次元モデルデータを記憶部に記憶する記憶ステップと、ユーザからの入力を受け付ける入力受付ステップと、入力受付ステップによって日付を指定する入力を受け付けた場合に、指定された日付の項目に結合している工事現場３次元モデルデータを記憶部から読み出し、表示部に表示する表示ステップと、入力受付ステップによって、搬入または据え付け対象機器を選択するとともに、その対象機器の重量、重心の位置およびＬｉｆｔｉｎｇ  Ｌｕｇ（リフト用突起）の位置を設定する入力し、工事現場３次元モデルデータに基づいて建設機械の過負荷を確認し、問題がなくなるまで選定を繰り返した後、建設機械としての利用性に問題ないことを確認するシミュレーションを行うシミュレーションステップとを備えることを特徴とする。
【手続補正６】
【補正対象書類名】明細書
【補正対象項目名】０００７
【補正方法】変更
【補正の内容】
【０００７】
上記問題を解決するために、本発明の他の態様である建設工事管理方法は、工事現場の３次元モデルのデータである工事現場３次元モデルデータをスケジュールの各項目に結合させて記憶するとともに、搬入または据え付け対象機器の３次元モデルである搬入据付対象機器３次元モデルデータ、および、建設機械の３次元モデルデータである建設機械３次元モデルデータを記憶部に記憶する記憶ステップと、ユーザからの入力を受け付ける入力受付ステップと、入力受付ステップによって日付を指定する入力を受け付けた場合に、指定された日付の項目に結合している工事現場３次元モデルデータを記憶部から読み出し、表示部に表示する表示ステップと、入力受付ステップによって、工事現場で必要とされる建設機械の作業半径を入力し、その入力された作業半径に適する建設機械を選定した後、さらに、搬入または据え付け対象機器を選択するとともに、その対象機器の重量、重心の位置およびＬｉｆｔｉｎｇ  Ｌｕｇ（リフト用突起）の位置を設定する入力し、選定された建設機械の建設機械３次元モデルデータを記憶部から読み出して表示部に表示された工事現場の３次元モデル内に表示することによって建設機械の作業半径と過負荷に問題ないことを確認し、問題がなくなるまで選定を繰り返した後、建設機械としての利用性に問題ないことを確認するシミュレーションを行うシミュレーションステップとを備えることを特徴とする。
【手続補正７】
【補正対象書類名】明細書
【補正対象項目名】０００８
【補正方法】変更
【補正の内容】
【０００８】
建設工事管理方法は、シミュレーションステップによるシミュレーションの過程をアニメーション録画ファイルに記録する録画ステップを更に備え、録画ステップは、シミュレーションステップによるシミュレーションの結果、問題がなかった場合に、シミュレーションの過程を日付に対応付けてアニメーション録画ファイルに記録するようにしてもよい。
また、建設工事管理方法において、表示ステップは、入力受付ステップによって開始日と終了日とを指定する入力を受け付けた場合に、指定された期間に含まれるアニメーション録画ファイルをスケジュール上に時系列に並べて表示するようにしてもよい。
【手続補正８】
【補正対象書類名】明細書
【補正対象項目名】０００９
【補正方法】変更
【補正の内容】
【０００９】
上記問題を解決するために、本発明の他の態様である建設工事管理装置は、工事現場の３次元モデルのデータである工事現場３次元モデルデータをスケジュールの各項目に結合させて記憶するとともに、建設機械の３次元モデルデータである建設機械３次元モデルデータを記憶する記憶部と、ユーザからの入力を受け付ける入力受付手段と、入力受付手段によって日付を指定する入力を受け付けた場合に、指定された日付の項目に結合している工事現場３次元モデルデータを記憶部から読み出し、表示部に表示する表示手段と、入力受付手段によって、工事現場に必要とされる建設機械の作業半径を入力し、その入力された作業半径に適する建設機械を選定した後、工事現場３次元モデルデータおよび当該建設機械の建設機械３次元モデルデータに基づいて入力した建設機械の作業半径を確認し、問題がなくなるまで選定を繰り返した後、建設機械としての利用性に問題ないことを確認するシミュレーションを行うシミュレーション手段とを備えることを特徴とする。